(57)【要約】【課題】  施工が容易で部品点数が少なく且つ防犯性に優れる面格子取付具を提供する。【解決手段】  本発明の面格子取付具１は、躯体９又はサッシ枠６に固定する躯体側ブラケット１１と、面格子７に固定する面格子側ブラケット１３と、躯体側ブラケット１１と面格子側ブラケット１３とを固定する固定ねじ１５とを備えている。躯体側ブラケット１１は面格子側ブラケット１３よりも面格子外周側に位置し、遮蔽部２１と載置部１９とを有し、遮蔽部２１は、躯体９又はサッシ枠６と躯体側ブラケット１１との固定部１７及び面格子側ブラケット１３と面格子７との固定部２７を面格子外周側から遮蔽しており、躯体９又はサッシ枠６に固定した躯体側ブラケット１１の載置部１９に、面格子７に固定した面格子側ブラケット１３を載置し、固定ねじ１５を面格子内周側からねじ込んで躯体側ブラケット１１と面格子側ブラケット１３とを固定してある。【選択図】      図１
2006299664.tif 000002
【特許請求の範囲】
【請求項１】
躯体又はサッシ枠に固定する躯体側ブラケットと、面格子に固定する面格子側ブラケットと、躯体側ブラケットと面格子側ブラケットとを固定する固定ねじとを備え、躯体側ブラケットは面格子側ブラケットよりも面格子外周側に位置し、遮蔽部と載置部とを有し、遮蔽部は、躯体又はサッシ枠と躯体側ブラケットとの固定部及び面格子側ブラケットと面格子との固定部を面格子外周側から遮蔽しており、躯体又はサッシ枠に固定した躯体側ブラケットの載置部に、面格子に固定した面格子側ブラケットを載置し、固定ねじを面格子内周側からねじ込んで躯体側ブラケットと面格子側ブラケットとを固定してあることを特徴とする面格子取付具。
【請求項２】
躯体側ブラケットは、面格子外周側に位置する遮蔽部と、遮蔽部の上端から面格子内周側に突設した上壁と、上壁の面格子内周側端から下方に突設した上側連結部と、遮蔽部の下端から面格子内周側に突設した載置部と、載置部の面格子内周側端から上方に突設した下側連結部とを有し、下側連結部は上側連結部よりも面格子内周側に位置し、面格子側ブラケットは被連結部を有しており、上側連結部の内周側面と被連結部の外周側面が対向し、下側連結部の外周側面と被連結部の内周側面が対向し、下側連結部と上側連結部とで面格子側ブラケットの被連結部を挟んでいることを特徴とする請求項１に記載の面格子取付具。
【請求項３】
躯体又はサッシ枠に固定する躯体側ブラケットと、面格子に固定する面格子側ブラケットと、躯体側ブラケットと面格子側ブラケットとを固定する固定ねじとを備え、躯体側ブラケットは載置部を有し、面格子側ブラケットは躯体側ブラケットよりも面格子外周側に位置する遮蔽部を有し、遮蔽部は、躯体又はサッシ枠と躯体側ブラケットとの固定部及び面格子側ブラケットと面格子との固定部を面格子外周側から遮蔽しており、躯体又はサッシ枠に固定した躯体側ブラケットの載置部に、面格子に固定した面格子側ブラケットを載置し、固定ねじを面格子内周側からねじ込んで躯体側ブラケットと面格子側ブラケットとを固定してあることを特徴とする面格子取付具。
【発明の詳細な説明】
【技術分野】
【０００１】
本発明は、面格子取付具に関する。
【背景技術】
【０００２】
特許文献１には、サッシ枠に面格子を固定する面格子取付具が開示されている。この特許文献１に記載の面格子取付具は、サッシ枠にねじ固定した躯体側ブラケットと、面格子にねじ固定した面格子側ブラケットと、遮蔽用ブラケットとを備えており、躯体側ブラケットと、面格子側ブラケットと、遮蔽用ブラケットと重ね合わせて、サッシ枠と面格子との間の内周側からねじ込む固定ねじで固定することが開示されており、遮蔽用ブラケットは躯体側ブラケットとサッシ枠とを固定するねじの頭を遮蔽している。
【０００３】
【特許文献１】実開平６−８２３８３号公報
【発明の開示】
【発明が解決しようとする課題】
【０００４】
しかし、特許文献１に開示の面格子取付具は、面格子にねじ固定した面格子側ブラケットと、サッシ枠に固定した躯体側ブラケットとを固定ねじで固定する構成であるあから、施工時には施工者が面格子の重量を手で支えながら固定ねじをねじ込む必要があるので、施工し難いという問題がある。
また、面格子側ブラケットと躯体側ブラケットとのほかに、遮蔽ブラケットを設けているので、部品点数が多くなるという問題がある。
【０００５】
そこで、本発明は、施工が容易で部品点数が少なく且つ防犯性に優れる面格子取付具の提供を目的とする。
【課題を解決するための手段】
【０００６】
請求項１に記載の発明は、躯体又はサッシ枠に固定する躯体側ブラケットと、面格子に固定する面格子側ブラケットと、躯体側ブラケットと面格子側ブラケットとを固定する固定ねじとを備え、躯体側ブラケットは面格子側ブラケットよりも面格子外周側に位置し、遮蔽部と載置部とを有し、遮蔽部は、躯体又はサッシ枠と躯体側ブラケットとの固定部及び面格子側ブラケットと面格子との固定部を面格子外周側から遮蔽しており、躯体又はサッシ枠に固定した躯体側ブラケットの載置部に、面格子に固定した面格子側ブラケットを載置し、固定ねじを面格子内周側からねじ込んで躯体側ブラケットと面格子側ブラケットとを固定してあることを特徴とする。
【０００７】
請求項２に記載の発明は、請求項１に記載の発明において、躯体側ブラケットは、面格子外周側に位置する遮蔽部と、遮蔽部の上端から面格子内周側に突設した上壁と、上壁の面格子内周側端から下方に突設した上側連結部と、遮蔽部の下端から面格子内周側に突設した載置部と、載置部の面格子内周側端から上方に突設した下側連結部とを有し、下側連結部は上側連結部よりも面格子内周側に位置し、面格子側ブラケットは被連結部を有しており、上側連結部の内周側面と被連結部の外周側面が対向し、下側連結部の外周側面と被連結部の内周側面が対向し、下側連結部と上側連結部とで面格子側ブラケットの被連結部を挟んでいることを特徴とする。
【０００８】
請求項３に記載の発明は、躯体又はサッシ枠に固定する躯体側ブラケットと、面格子に固定する面格子側ブラケットと、躯体側ブラケットと面格子側ブラケットとを固定する固定ねじとを備え、躯体側ブラケットは載置部を有し、面格子側ブラケットは躯体側ブラケットよりも面格子外周側に位置する遮蔽部を有し、遮蔽部は、躯体又はサッシ枠と躯体側ブラケットとの固定部及び面格子側ブラケットと面格子との固定部を面格子外周側から遮蔽しており、躯体又はサッシ枠に固定した躯体側ブラケットの載置部に、面格子に固定した面格子側ブラケットを載置し、固定ねじを面格子内周側からねじ込んで躯体側ブラケットと面格子側ブラケットとを固定してあることを特徴とする。
【発明の効果】
【０００９】
請求項１に記載の発明によれば、面格子の取り付けは、躯体又はサッシに躯体側ブラケットを固定し、面格子に面格子側ブラケットを固定した後、躯体側ブラケットに設けてある載置部に面格子側ブラケットを載置して、載置部が面格子の重量を受けた状態で躯体側ブラケットと面格子側ブラケットとをねじで固定できるから、面格子側ブラケットを施工者が手で支えることなく固定ねじのねじ込みができ、施工が容易である。
躯体又はサッシと躯体側ブラケットとの固定部と、面格子と面格子側ブラケットとの固定部とは遮蔽部が面格子外周側から遮蔽しているので、防犯性に優れる。
躯体側ブラケットに遮蔽部が設けてあり、別に遮蔽部材を必要としないので部品点数が少なくて済む。
固定ねじは、面格子内周側からねじ込んで面格子側ブラケットと躯体側ブラケットを固定してあり、面格子外周側から固定ねじが見え難いので防犯性に優れる。
【００１０】
請求項２に記載の発明によれば、請求項１に記載の作用効果を奏すると共に、面格子側ブラケットを躯体側ブラケットの載置部に載置するときには、躯体側ブラケットの上側連結部と下側連結部との間に面格子側ブラケットの被連結部を差し込むだけで容易に載置でき且つ面格子側ブラケットを躯体側ブラケットの下側連結部と上側連結部とで挟んで安定に保持できる。躯体側ブラケットを縦断面略Ｃ字形状に形成するだけであるから、構成が簡易で製造も容易である。
【００１１】
請求項３に記載の発明によれば、面格子の取り付けは、躯体又はサッシに躯体側ブラケットを固定し、面格子に面格子側ブラケットを固定した後、躯体側ブラケットに設けてある載置部に面格子側ブラケットを載置して、載置部が面格子の重量を受けた状態で躯体側ブラケットと面格子側ブラケットとをねじで固定できるから、面格子側ブラケットを施工者が手で支えることなく固定ねじのねじ込みができ、施工が容易である。
躯体又はサッシと躯体側ブラケットとの固定部と、面格子と面格子側ブラケットとの固定部とは遮蔽部が面格子外周側から遮蔽しているので、防犯性に優れる。
面格子側ブラケットに遮蔽部が設けてあり、別に遮蔽部材を必要としないので部品点数が少なくて済む。
固定ねじは、面格子内周側からねじ込んで面格子側ブラケットと躯体側ブラケットを固定してあり、面格子外周側から固定ねじが見え難いので防犯性に優れる。
【発明を実施するための最良の形態】
【００１２】
以下に、添付図面を参照して本発明の実施の形態を説明するが、まず図１〜図４を参照して本発明の第１実施の形態を説明する。図１（ａ）は本発明の実施の形態にかかる面格子取付具を用いた面格子付きサッシの右側部分を示す横断面図であり、（ｂ）は図１（ａ）をＡ−Ａ位置で切断した一部を示す断面図であり、図２は本発明の実施の形態にかかる面格子取付具を用いた面格子付きサッシの縦断面図であり、図３は躯体側ブラケットの図であり、（ａ）は正面図であり、（ｂ）は側面図、（ｃ）は平面図であり、図４は面格子側ブラケットの図であり、（ａ）は正面図であり、（ｂ）は側面図、（ｃ）は平面図である。
本発明の第１実施の形態にかかる面格子取付具３は、面格子付きサッシ１においてサッシ５に面格子７を取り付けている。本実施の形態ではサッシ５は打ち倒しサッシである。
面格子取付具３は、躯体側ブラケット１１と、面格子側ブラケット１３と、これらのブラケット１１、１３を固定する固定ねじ１５とを備えている。
躯体側ブラケット１１は、サッシ枠６と面格子７との間において面格子側ブラケット１３よりも面格子外周側に配置してあり、躯体９との固定部１７と、載置部１９と、遮蔽部２１と、連結部２９とを備えており、連結部２９は上側連結部２９ａと下側連結部２９ｂとから構成されている。
更に、遮蔽部２１の上端には、面格子内周側に突設した上壁２２が設けてあり、上側連結部２９ａは上壁２２の面格子内周側端から下方に突設している。載置部１９は遮蔽部２１の下端から面格子内周側に突設して設けてあり、載置部１９の面格子内周側端には下側連結部２９ｂが上方に突設して設けてあり、下側連結部２９ｂは上側連結部２９ｂよりも面格子内周側に位置している。躯体側ブラケット１１は、図３（ｂ）に示すように、上側連結部２９ａと、上壁２２と、遮蔽部２１と、載置部１９と、下側連結部２９ｂとで縦断面略Ｃ字形状を成している。
躯体９との固定部１７には、躯体９に止めるねじ２３の挿通孔２５が形成されており、ねじ２３がサッシ枠６を貫通して躯体９に固定してある。
載置部１９は躯体側ブラケット１１の下端部に設けてあり、載置部１９には面格子側ブラケット１３が載置されている。載置部１９は遮蔽部２１の下端から面格子内周側に設けてあり、遮蔽部２１と下側連結部２９ｂとの間に設けてあり且つ上側連結部２９ａの面格子内周側面３０の垂直線Ｔ（図３（ｂ）参照）上の位置と下側連結部２９ｂの面格子外周側面３２との間に位置している。
遮蔽部２１は、面格子側ブラケット１３よりも面格子外周側に位置して躯体側ブラケット１１のねじ固定部１７と、面格子側ブラケット１３のねじ固定部２７とを面格子外周側から遮蔽している。
上側連結部２９ａ及び下側連結部２９ｂは遮蔽部２１よりも面格子内周側で遮蔽部２１に対向配置してあり且つ遮蔽部２１との間に空間３７をあけている。上側連結部２９ａは面格子側ブラケット１３の上側で面格子外周側面に当接しており、下側連結部２９ｂは面格子側ブラケット１３の下側で面格子内周側面に当接している。上側連結部２９ａは遮蔽部２１の上端に設けてあり且つ遮蔽部２１よりも面格子内周側に位置し、下側連結部２９ｂは載置部１９の面格子内周側端に設けてあり且つ上側連結部２９ａよりも面格子内周側に位置している。
上側連結部２９ａには固定ねじ１５に螺合するねじ孔３３が形成されている。下側連結部２９ｂには固定ねじ１５を挿通する上下方向の長孔３５が形成されている。
上側連結部２９ａと下側連結部２９ｂとは載置部１９の寸法分だけ水平方向に対してずれた位置にあり、上側連結部２９ａの内周側面と被連結部３１の外周側面が対向し、下側連結部２９ｂの外周側面と被連結部３１の内周側面が対向してあり、上側連結部２９ａの面格子内周側面３０と下側連結部２９ｂの面格子外周側面３２との間に面格子側ブラケット１３の被連結部３１を挟んでいる。
面格子側ブラケット１３は平面視略Ｌ字形状を成しており、Ｌ字の一側に面格子固定部２７を有し、他側に被連結部３１が設けてある。
面格子７との固定部２７には、面格子７に止める固定ねじ３９の挿通孔４１が形成されている。固定ねじ３９は面格子７の内部に設けた裏板４３に螺合することにより面格子７に固定されている。
被連結部３１には、躯体側ブラケット１１に設けた上側連結部２９ａのねじ孔３３に対向する位置に上下方向の長孔３１ａが設けてあり、躯体側ブラケット１１に設けた下側連結部２９ｂの長孔３５に対向する位置にねじ孔３１ｂが設けてある。
固定ねじ１５、１５は本実施の形態では上下に２つ設けてあり、上固定ねじ１５は面格子側ブラケット１３に設けた長孔３１ａに面格子内周側から挿通して躯体側ブラケット１１に設けた上側連結部２９ａのねじ孔３３にねじ込んで止めてある。下連結ねじ１５は、躯体側ブラケット１１に設けた上側連結部２９の長孔３１ａに面格子内周側から挿通して面格子側ブラケット１３に設けたねじ孔３１ｂにねじ込んである。各固定ねじ１５は一方向ねじであり、ねじの頭に締め付け方向のみにマイナスドライバーが係合して回転操作可能になっている。
【００１３】
次に、本実施の形態にかかる面格子取付具３による面格子７の取り付け、面格子取付具３の作用及び効果について説明する。
サッシ５への面格子７の取り付けは、躯体側ブラケット１１のねじ固定部１７にねじ２３を挿通してねじ２３をサッシ枠６に貫通して躯体９に螺合固定する。ねじ２３の締め付けは躯体側ブラケット１１の遮蔽部２１と連結部２９ａ、２９ｂとの間の空間３７にドライバーを挿入して行う。
一方、面格子７には面格子側ブラケット１３を固定する。面格子７と面格子側ブラケット１３との固定は、面格子側ブラケット１３の固定部２７の挿通孔２５にねじ３９を挿通して面格子に設けた裏板４３に螺合する。
次に、面格子側ブラケット１３を固定した面格子７をサッシ５の室外側に対面配置し、面格子側ブラケット１３を躯体側ブラケット１１に設けてある面格子側ブラケット１３の載置部１９に載置する。面格子側ブラケット１３の載置は、躯体側ブラケット１１に設けた上側連結部２９ａと、下側連結部２９ｂとの間に面格子側ブラケット１３の被連結部３１を嵌め込むようにして行う。面格子側ブラケット１１の被連結部３１は、躯体側ブラケット１１の載置部１９に載置されると共に躯体側ブラケット１１の上側連結部（上側当接）２９ａと、下部外周面に当接する下側連結部２９ｂとにより挟持される。
面格子側ブラケット１３の被連結部３１にある長孔３１ａに内周側から上固定ねじ１５を挿通して、上固定ねじ１５を躯体側ブラケット１１の上側連結部２９ａにあるねじ孔３１ｂにねじ込んで面格子側ブラケット１３の被連結部３１を躯体側ブラケット１１の上側連結部２９ａに固定する。
躯体側ブラケット１１の下側連結部２９ｂの長孔３５に内周側から下固定ねじ１５を挿通して、下固定ねじ１５を面格子側ブラケット１３の被連結部３１にあるねじ孔３１ｂにねじ込んで、面格子側ブラケット１３の被連結部３１を躯体側ブラケットの下側連結部２９ｂに固定する。
【００１４】
本実施の形態によれば、躯体９に躯体側ブラケット１１をねじ固定し、面格子７に面格子側ブラケット１３をねじ固定した後、躯体側ブラケット１１に設けてある載置部１９に面格子側ブラケット１３を載置して、載置部１９が面格子７の重量を受けた状態で躯体側ブラケット１１と面格子側ブラケット１３とを固定ねじ１５で固定できるから、施工者が面格子７を支えることなく固定ねじ１５のねじ止めができ、施工が容易である。
躯体９と躯体側ブラケット１１との固定部１７と、面格子７と面格子側ブラケット１３との固定部２７とを、各々躯体側ブラケット１１に設けた遮蔽部２１で面格子外周側から遮蔽しているので、防犯性に優れる。
躯体側ブラケット１１はサッシ枠６のみならず躯体９にも固定してあるので、面格子７を強固に固定することができる。
躯体側ブラケット１１に遮蔽部２１が設けてあり、別に遮蔽部材を設けていないので部品点数が少なくて済む。
固定ねじ１５は、面格子内周側からねじ込んで躯体側ブラケット１１と面格子側ブラケットとを連結しているから、面格子外周側から固定ねじ１５が見え難いので防犯性に優れる。また、固定ねじ１５は一方向ねじとしてあるから、仮にドライバーで操作されても外れ難い。
面格子側ブラケット１３と躯体側ブラケット１１との組み付けは、面格子側ブラケット１３の被連結部３１を上側連結部２９ａと下側連結部２９ｂとの間に差し込むだけで容易に載置でき且つ面格子側ブラケット１３の被載置部３１を挟んでいるので安定に保持できる。躯体側ブラケット１１を縦断面略Ｃ字形状に形成するだけであるから、構成が簡易で製造も容易である。
躯体側ブラケット１１と面格子側ブラケットとにおいて、固定ねじ１５を止める部分は一方が長孔３１ａ、３５としてあり、多少の組み付け誤差を吸収できるのでねじ止めし易い。
また、本実施の形態では、面格子取付具３は面格子７に対して略直角に取り付けてあり、面格子外周側にはみ出さないので面格子正面からの外観がよい。
【００１５】
次に、他の実施の形態を説明するが、以下に説明する実施の形態では、第１実施の形態と同一の作用効果を奏する部分には同一の符号を付することによりその部分の詳細な説明を省略し、第１実施の形態と主に異なる点を説明する。
図５を参照して第２実施の形態を説明する。図５は第２実施の形態にかかる面格子取付具の図であり、（ａ）は面格子取付具の縦断面図であり、（ｂ）は躯体側ブラケットの斜視図であり、（ｃ）は面格子側ブラケットの斜視図である。
第２実施の形態では、躯体側ブラケット１１に遮蔽部がなく、面格子側ブラケット１３に遮蔽部２１を設けてある点が第１実施の形態と異なっている。また、第２実施の形態では、第１実施の形態のように、面格子側ブラケット１３を躯体側ブラケット１１の上側連結部２９ａと下側連結部２９ｂとで挟む構成がない。
この第２実施の形態では、躯体９に躯体側ブラケット１１をねじ固定し、面格子７に面格子側ブラケット１３をねじ固定した後、躯体側ブラケット１１に設けてある載置部１９に面格子側ブラケット１３を載置して、載置部１９が面格子７の重量を受けた状態で躯体側ブラケット１１と面格子側ブラケット１３とを固定ねじ１５で固定できるから、施工者が面格子７を支えることなく固定ねじ１５のねじ止めができ、施工が容易である。
躯体９と躯体側ブラケット１１との固定部１７と、面格子７と面格子側ブラケット１３との固定部２７とを、各々面格子側ブラケット１３に設けた遮蔽部２１で面格子外周側から遮蔽しているので、防犯性に優れる。
躯体側ブラケット１１はサッシ枠６のみならず躯体９にも固定してあるので、面格子７を強固に固定することができる。
面格子側ブラケット１３に遮蔽部２１が設けてあり、別に遮蔽部材を設けていないので部品点数が少なくて済む。
固定ねじ１５は、面格子内周側からねじ込んで躯体側ブラケット１１と面格子側ブラケットとを連結しているから、面格子外周側から固定ねじ１５が見え難いので防犯性に優れる。また、固定ねじ１５は一方向ねじとしてあるから、仮にドライバーで操作されても外れ難い。
図６を参照して第３実施の形態を説明する。図６は、第３実施の形態にかかる面格子取付具の図であり、（ａ）は組付け前の躯体側ブラケットと面格子側ブラケットとを示すものであり且つ図１（ｂ）と同じ位置で切断した断面図であり、（ｂ）は組み付け後の面格子側ブラケットを図１（ｂ）と同じ位置で切断した断面図である。
第３実施の形態では、第１実施の形態の躯体側ブラケット１１を面格子側ブラケットとして用い、第１実施の形態の面格子側ブラケット１３を躯体側ブラケットとして用いると共に第１実施の形態で用いた躯体側ブラケット１１を上下入れ替えている。この第２実施の形態では、躯体側ブラケット１１に遮蔽部がなく、面格子側ブラケット１３に遮蔽部２１を設けてある点が第１実施の形態と異なっている。
第３実施の形態によれば、上述した第１実施の形態の躯体側ブラケット１１を上下反転させて面格子側ブラケットとして用い、面格子側ブラケット１３を躯体側ブラケットとして用いただけであるから、上述した第１実施の形態と同様な作用効果を得ることができる。
【００１６】
本発明は、上述した実施の形態に限らず、本発明の要旨を逸脱しない範囲で種々変形可能である。
第１実施の形態における躯体側ブラケット１１及び第３実施の形態における面格子側ブラケット１３の連結部２９ａ、２９ｂのいずれか一つとを一つの固定ねじ１５で止めて、躯体側ブラケット１１と、面格子側ブラケット１３とを固定するものであってもよい。
躯体側ブラケット１１は、ねじ２３によりサッシ枠６のみに固定するものであってもよい。
【図面の簡単な説明】
【００１７】
【図１】（ａ）は本発明の実施の形態にかかる面格子取付具を用いた面格子付きサッシ右側部分を示す横断面図であり、（ｂ）は図１（ａ）をＡ−Ａ位置で切断した一部を示す断面図である。
【図２】本発明の実施の形態にかかる面格子取付具を用いた面格子付きサッシの縦断面図である。
【図３】躯体側ブラケットの図であり、（ａ）は正面図であり、（ｂ）は側面図、（ｃ）は平面図である。
【図４】面格子側ブラケットの図であり、（ａ）は正面図であり、（ｂ）は側面図、（ｃ）は平面図である。
【図５】第２実施の形態にかかる面格子取付具の図であり、（ａ）は面格子取付具の縦断面図であり、（ｂ）は躯体側ブラケットの斜視図であり、（ｃ）は面格子側ブラケットの斜視図である。
【図６】第２実施の形態にかかる面格子取付具の図であり、（ａ）は組付け前の躯体側ブラケットと面格子側ブラケットとを示すものであり、図１（ｂ）と同じ位置で切断した断面図であり、（ｂ）は組み付け後の面格子側ブラケットを図１（ｂ）と同じ位置で切断した断面図である。
【符号の説明】
【００１８】
３      面格子取付具
６      サッシ枠
７      面格子
９      躯体
１１    躯体側ブラケット
１３    面格子側ブラケット
１５    固定ねじ
１７    躯体側ブラケットのねじ固定部
１９    載置部
２１    遮蔽部
２７    面格子側ブラケットのねじ固定部
２９    連結部
２９ａ  上側連結部
２９ｂ  下側連結部
３１    被連結部
【図１】
2006299664.tif 000003
【図２】
2006299664.tif 000004
【図３】
2006299664.tif 000005
【図４】
2006299664.tif 000006
【図５】
2006299664.tif 000007
【図６】
2006299664.tif 000008